(57)【要約】      （修正有）【課題】コンパクトな電気掃除機を提供する。【解決手段】電気掃除機は、電動送風部７と、ケース部１０と、集塵部８と、風路形成部１２と、電池部９と、を備える。電動送風部７は、供給される電力によって気流を発生させる。ケース部１０は、電動送風部７を収納する。集塵部８は、気流によって外部から吸引される塵埃を捕集する。風路形成部１２は、吸引風路２０を有する。吸引風路２０は、上下方向を中心軸として下方から上方に直線状に延びる。風路形成部１２は、気流を吸引風路２０から集塵部８に導く。電池部９は、吸引風路２０の上下方向の上方の延長線上に設けられる。電池部９は、上下方向に垂直な前後方向から電動送風部７に隣接する。電池部９は、蓄電池３０を有する。蓄電池３０は、電動送風部７に電力を供給する。【選択図】図１０
2019166124.tif 000002
【特許請求の範囲】
【請求項１】
供給される電力によって気流を発生させる電動送風部と、
前記電動送風部を収納するケース部と、
前記気流によって外部から吸引される塵埃を捕集する集塵部と、
第１軸を中心軸として上流側から下流側に直線状に延びる吸引風路を有し、前記気流を前記吸引風路から前記集塵部に導く風路形成部と、
前記吸引風路の前記第１軸の前記下流側の延長線上に設けられ、前記第１軸に垂直な第２軸の方向から前記電動送風部に隣接し、前記電動送風部に電力を供給する蓄電池を有する電池部と、
を備える電気掃除機。
【請求項２】
前記電池部は、前記第１軸の方向に延びる形状である請求項１に記載の電気掃除機。
【請求項３】
前記電池部は、前記第１軸および前記第２軸に垂直な第３軸の方向の最大幅が、前記ケース部の前記第３軸の方向の最大幅以下である請求項１または請求項２に記載の電気掃除機。
【請求項４】
前記電池部の全体は、前記ケース部の前記下流側の端部を通り前記第１軸に垂直な平面に対して前記ケース部の側に設けられる請求項１または請求項３のいずれか一項に記載の電気掃除機。
【請求項５】
前記電池部の全体は、前記風路形成部の外側面に接し前記第２軸に垂直な平面に対して前記風路形成部の側に設けられる請求項１から請求項４のいずれか一項に記載の電気掃除機。
【請求項６】
前記電池部は、前記第１軸の方向に延び前記第２軸の方向を長軸とし前記第１軸および前記第２軸に垂直な方向を短軸とし前記ケース部および前記風路形成部の外面に接する楕円柱面の内部に設けられる請求項１から請求項５のいずれか一項に記載の電気掃除機。
【請求項７】
前記電池部は、前記蓄電池の充電および放電を制御する保護基板を前記第１軸の方向の端部に有する請求項１から請求項６のいずれか一項に記載の電気掃除機。
【請求項８】
前記電池部は、前記第１軸の方向の端部に設けられ前記第２軸の方向に突出し前記電動送風部に接続される接続部を有し、
前記保護基板は、前記接続部に設けられる請求項７に記載の電気掃除機。
【請求項９】
前記電動送風部は、供給される電力を受ける第１接続端子を有し、
前記電池部は、前記蓄電池に電気的に接続され前記第１接続端子に直接接触する第２接続端子を有する請求項１から請求項８のいずれか１項に記載の電気掃除機。
【発明の詳細な説明】
【技術分野】
【０００１】
本発明は、電気掃除機に関する。
【背景技術】
【０００２】
特許文献１に電気掃除機の例が記載されている。電気掃除機は、電動送風機と、集塵部と、風路形成部と、電池部と、を備える。電池部は、電動送風機に電力を供給する。電動送風機は、気流を発生させる。風路形成部は、当該気流を集塵部に案内する。集塵部は、当該気流とともに吸引される塵埃を捕集する。風路形成部は、電気掃除機の前方に張り出す。電池部は、電気掃除機の後方に張り出す。
【先行技術文献】
【特許文献】
【０００３】
【特許文献１】特開２０１７−１６９８９２号公報
【発明の概要】
【発明が解決しようとする課題】
【０００４】
しかしながら、特許文献１の電気掃除機において、風路形成部と電池部とは、異なる方向に張り出す。このため、電気掃除機の幅が大きくなる。
【０００５】
本発明は、このような課題を解決するためになされた。本発明の目的は、コンパクトな電気掃除機を提供することである。
【課題を解決するための手段】
【０００６】
本発明に係る電気掃除機は、供給される電力によって気流を発生させる電動送風部と、電動送風部を収納するケース部と、気流によって外部から吸引される塵埃を捕集する集塵部と、第１軸を中心軸として上流側から下流側に直線状に延びる吸引風路を有し、気流を吸引風路から集塵部に導く風路形成部と、吸引風路の第１軸の下流側の延長線上に設けられ、第１軸に垂直な第２軸の方向から電動送風部に隣接し、電動送風部に電力を供給する蓄電池を有する電池部と、を備える。
【発明の効果】
【０００７】
本発明によれば、電気掃除機は、電動送風部と、ケース部と、集塵部と、風路形成部と、電池部と、を備える。電動送風部は、供給される電力によって気流を発生させる。ケース部は、電動送風部を収納する。集塵部は、気流によって外部から吸引される塵埃を捕集する。風路形成部は、第１軸を中心軸として上流側から下流側に直線状に延びる吸引風路を有する。風路形成部は、気流を吸引風路から集塵部に導く。電池部は、吸引風路の第１軸の下流側の延長線上に設けられる。電池部は、第１軸に垂直な第２軸の方向から電動送風部に隣接する。電池部は、電動送風部に電力を供給する蓄電池を有する。これによって、電気掃除機は、コンパクトになる。
【図面の簡単な説明】
【０００８】
【図１】実施の形態１に係る掃除機システムの側面図である。
【図２】実施の形態１に係る掃除機システムの斜視図である。
【図３】実施の形態１に係る電気掃除機の正面図である。
【図４】実施の形態１に係る電気掃除機の背面図である。
【図５】実施の形態１に係る電気掃除機の側面図である。
【図６】実施の形態１に係る電気掃除機の斜視図である。
【図７】実施の形態１に係る電気掃除機の側面図である。
【図８】実施の形態１に係る本体の側面図である。
【図９】実施の形態１に係る本体の側面図である。
【図１０】実施の形態１に係る本体の断面図である。
【図１１】実施の形態１に係る本体の断面図である。
【図１２】実施の形態１に係る本体の上面図である。
【図１３】実施の形態１に係る電動送風部の斜視図である。
【図１４】実施の形態１に係る電動送風部の斜視図である。
【図１５】実施の形態１に係る電池部の斜視図である。
【図１６】実施の形態１に係る電池部の斜視図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１は、実施の形態１に係る掃除機システムの側面図である。図２は、実施の形態１に係る掃除機システムの斜視図である。
【００１１】
図１において、矢印で示す方向が掃除機システム１の前後方向である。
【００１２】
掃除機システム１は、電気掃除機２と、支持装置３と、を備える。
【００１３】
電気掃除機２は、支持装置３に着脱可能に設けられる。電気掃除機２は、本体４と、管体５と、吸引具６と、を備える。
【００１４】
本体４は、電動送風部７と、集塵部８と、電池部９と、ケース部１０と、電池収納部１１と、風路形成部１２と、把持部１３と、を備える。電動送風部７は、供給される電力によって気流を発生させうるように構成される。集塵部８は、電動送風部７が発生させる気流によって本体４の外部から吸引される塵埃を捕集しうるように構成される。集塵部８は、電動送風部７の下方に設けられる。電池部９は、充電されている電力を電動送風部７に供給しうるように、電動送風部７に電気的に接続される。ケース部１０は、円筒状の形状である。ケース部１０は、電動送風部７を収納する。電池収納部１１は、電池部９を収納する。風路形成部１２は、上下方向に延びる形状である。風路形成部１２は、集塵部８の後方に隣接して設けられる。風路形成部１２は、電池部９の下方に設けられる。把持部１３は、本体４の上端に設けられる。把持部１３は、前後方向に半円状に延びる。
【００１５】
管体５は、電気掃除機２の上下方向に延びる。管体５の上端は、風路形成部１２の下端に接続される。管体５は、風路形成部１２に着脱可能に接続される。吸引具６は、接続管１４と、ノズル体１５と、を備える。接続管１４は、ノズル体１５の上部に設けられる。接続管１４は、管体５の下端に接続される。接続管１４は、管体５に着脱可能に接続される。
【００１６】
支持装置３は、電気掃除機２を前方から支持する。支持装置３は、図示されない電源コードによって、外部の電源に接続される。
【００１７】
図２において、矢印で示す方向が掃除機システムの前後方向である。図２において、支持装置３から外れている状態の電気掃除機２が示される。
【００１８】
本体４は、充電端子１６を備える。充電端子１６は、風路形成部１２の前方に設けられる。充電端子１６は、集塵部８の下方に設けられる。充電端子１６は、電池部９に電気的に接続される。
【００１９】
支持装置３は、保持体３ａと、支持体３ｂと、基体３ｃと、を備える。
【００２０】
保持体３ａは、本体設置部３ｄと、管保持部３ｅと、を備える。本体設置部３ｄは、上下方向に延びる形状である。本体設置部３ｄの上端は、本体４に接続される。管保持部３ｅは、側面の一部が開く円柱状の形状である。管保持部３ｅは、本体設置部３ｄの下部に設けられる。管保持部３ｅは、風路形成部１２の下部および管体５の上部に接続される。管保持部３ｅは、給電端子３ｆを備える。電気掃除機２が支持装置３に接続されている場合に、給電端子３ｆは、充電端子１６に接触することで電気的に接続される。支持装置３は、給電端子３ｆおよび充電端子１６を通じて、外部の電源から供給される電力によって電池部９を充電しうるように構成される。
【００２１】
支持体３ｂは、上下方向に延びる形状である。支持体３ｂの上端は、本体設置部３ｄの下端に設けられる。
【００２２】
基体３ｃは、上方から見た場合に円状の形状である。基体３ｃは、後方に吸引具収納部３ｇを有する。吸引具収納部３ｇは、ノズル体１５に接続する。
【００２３】
続いて、図３から図７を用いて、電気掃除機２の構成を説明する。
図３は、実施の形態１に係る電気掃除機の正面図である。図４は、実施の形態１に係る電気掃除機の背面図である。図５は、実施の形態１に係る電気掃除機の側面図である。図６は、実施の形態１に係る電気掃除機の斜視図である。図７は、実施の形態１に係る電気掃除機の側面図である。
【００２４】
図３に示されるように、本体４は、操作部１７を備える。操作部１７は、把持部１３の前方かつ下方に設けられる。操作部１７は、使用者の操作を受け付けうるように構成される。操作部１７は、例えば複数の操作ボタンを有する。使用者の操作は、電気掃除機２の起動および停止を含む。操作部１７は、使用者の操作を表す信号を送信しうるように、電動送風部７に接続される。
【００２５】
管体５は、第１着脱ボタン１８ａを備える。第１着脱ボタン１８ａは、上部に設けられる。管体５と本体４との接続は、第１着脱ボタン１８ａによって解除される。
【００２６】
吸引具６は、第２着脱ボタン１８ｂを備える。第２着脱ボタン１８ｂは、接続管１４の上部に設けられる。接続管１４と管体５との接続は、第２着脱ボタン１８ｂによって解除される。
【００２７】
図４に示されるように、把持部１３、電池収納部１１、風路形成部１２、管体５および接続管１４の各々の外面は、互いに滑らかに接続される。把持部１３、電池部９、風路形成部１２、管体５および接続管１４は、電気掃除機２の後部において同一直線状に並ぶ。
【００２８】
図５において、紙面右方向が電気掃除機２の前方向である。
【００２９】
電池収納部１１は、排気口１９を有する。排気口１９は、上下方向に延びる複数の長穴である。排気口１９は、電池収納部１１の側面に設けられる。排気口１９は、本体４の内部の空間に通じる。
【００３０】
風路形成部１２は、内部に吸引風路２０を有する。吸引風路２０は、上下方向に直線状に延びる。吸引風路２０の中心軸は、上下方向に延びる。吸引風路２０の中心軸は、第１軸である。吸引風路２０は、風路形成部１２の下端から外部に通じる。吸引風路２０は、集塵部８の内部に通じる。
【００３１】
管体５が風路形成部１２に接続されている場合に、管体５の内部は、吸引風路２０に通じる。
【００３２】
接続管１４が管体５に接続されている場合に、接続管１４の内部は、管体５の内部に通じる。接続管１４の内部は、ノズル体１５の内部に通じる。ノズル体１５は、吸込口２１を有する。吸込口２１は、下面に設けられる。吸込口２１は、ノズル体１５の内部に通じる。
【００３３】
図６に示されるように、電動送風部７を使用して床面などの被清掃面を掃除する場合に、本体４、管体５および吸引具６は接続される。使用者は、電池部９が充電されている状態の電気掃除機２を支持装置３から取り外す。使用者は、把持部１３を持ってノズル体１５の吸込口２１を被清掃面に向ける。操作部１７は、電気掃除機２を起動するための使用者の操作を受け付ける。操作部１７は、当該操作を表す信号を電動送風部７に送信する。電動送風部７は、電池部９から電力の供給を受ける。電動送風部７は、気流を発生させる。気流は、被清掃面の上の塵埃とともに吸込口２１からノズル体１５に流入する。気流は、ノズル体１５から接続管１４を通って管体５に流入する。気流は、管体５から風路形成部１２に流入する。気流は、風路形成部１２から集塵部８に流入する。集塵部８は、気流とともに流入する塵埃を捕集する。集塵部８を通過する気流は、電池収納部１１の内側に向かう。気流は、電池収納部１１の内側で電池部９の外部を通る。気流は、排気口１９を通じて外部に送り出される。
【００３４】
図７に示されるように、電動送風部７を使用して使用者の上方を掃除する場合などに、本体４および管体５は接続される。吸引具６は、管体５から取り外されている。気流は、塵埃とともに管体５の内部に流入する。
【００３５】
続いて、図８から図１２を用いて、本体４の構成を説明する。
図８および図９は、実施の形態１に係る本体の側面図である。図１０は、実施の形態１に係る本体の断面図である。図１１は、実施の形態１に係る本体の断面図である。図１２は、実施の形態１に係る本体の上面図である。
【００３６】
図８において、紙面右方向が本体４の前方向である。図８において、紙面上方向が本体４の上方向である。
【００３７】
集塵部８は、ケース部１０に着脱可能に設けられる。集塵部８は、着脱レバー２２を備える。着脱レバー２２は、上部でかつ前部に設けられる。
【００３８】
図９において、ケース部１０から取り外された状態の集塵部８が示される。集塵部８とケース部１０との接続は、着脱レバー２２によって解除される。集塵部８に捕集された塵埃を廃棄する場合に、使用者は、集塵部８を取り外す。
【００３９】
図１０において、紙面右方向が本体４の前方向である。図１０において、紙面上方向が本体４の上方向である。図１０は、吸引風路２０の中心軸を含む前後方向に平行な面での断面図である。
【００４０】
電動送風部７は、モーター２３と、ファン２４と、制御基板２５と、を備える。モーター２３は、供給される電力によって出力軸を回転させうるように構成される。モーター２３の出力軸は、下方に向けられる。ファン２４は、モーター２３の出力軸に接続される。ファン２４は、モーター２３の下方に設けられる。ファン２４は、回転によって気流を発生させうるように構成される。制御基板２５は、モーター２３の動作を制御する素子を搭載する。制御基板２５は、使用者の操作を表す信号を受信しうるように、操作部１７に接続される。
【００４１】
集塵部８は、分離部２６と、集塵容器２７と、フィルター部２８と、を備える。分離部２６は、気流が集塵部８に流入する入口に設けられる。分離部２６は、集塵部８の外周に沿う旋回風路を有する。旋回風路は、集塵部８に流入する気流から旋回流を形成しうるように構成される。分離部２６は、上方に開く内筒を有する。集塵容器２７は、円筒状の形状である。集塵容器２７は、分離部２６の下方に設けられる。集塵容器２７は、分離部２６が形成する旋回流から遠心力によって分離される塵埃を捕集しうるように構成される。フィルター部２８は、分離部２６の上方に設けられる。フィルター部２８は、集塵容器２７から内筒を上に向かって通る気流に含まれる微細な塵埃を捕集しうるように構成される。
【００４２】
吸引風路２０は、下方から上方に直線状に延びる。下方は、上流側である。上方は、下流側である。風路形成部１２は、接続風路２９を有する。接続風路２９は、風路形成部１２の下流側に設けられる。接続風路２９は、吸引風路２０と集塵部８の入口とを接続する。
【００４３】
電池部９は、吸引風路２０の中心軸の上方の延長線上に設けられる。電池部９は、上下方向に延びる。電池部９は、電動送風部７に後方から隣接する。前後方向は、第２軸の方向であり、第１軸と垂直の方向である。電池部９は、複数の蓄電池３０と、保護基板３１と、電池ケース３２と、を有する。複数の蓄電池３０の各々は、例えばリチウムイオン電池である。複数の蓄電池３０は、モーター２３に電力を供給し得るように、モーター２３に電気的に接続される。保護基板３１は、複数の蓄電池３０の充電および放電を制御する素子を搭載する。電池ケース３２は、複数の蓄電池３０と保護基板３１とを収納する。
【００４４】
電池ケース３２は、第１接続部３３を有する。第１接続部３３は、電池ケース３２の上端に設けられる。第１接続部３３は、前方に向けて突出する。第１接続部３３は、電動送風部７の上部に接続される。
【００４５】
第１平面Ｐ１は、上下方向に垂直な平面である。第１平面Ｐ１は、ケース部１０の上端を通る。電池部９は、第１平面Ｐ１に対してケース部１０の側に全体が設けられる。集塵部８は、第１平面Ｐ１に対してケース部１０の側に全体が設けられる。風路形成部１２は、第１平面Ｐ１に対してケース部１０の側に全体が設けられる。
【００４６】
第２平面Ｐ２は、前後方向に垂直な平面である。第２平面Ｐ２は、風路形成部１２の後部の外側面に接する。電池部９は、第２平面Ｐ２に対して風路形成部１２の側に全体が設けられる。把持部１３は、第２平面Ｐ２に対して風路形成部１２の側に全体が設けられる。ケース部１０は、第２平面Ｐ２に対して風路形成部１２の側に全体が設けられる。集塵部８は、第２平面Ｐ２に対して風路形成部１２の側に全体が設けられる。
【００４７】
電池部９、モーター２３および操作部１７は、前後方向の同一直線上に並ぶ。
【００４８】
図１１において、紙面右方向が本体４の右方向である。図１１において、紙面上方向が本体４の前方向である。図１１は、ファン２４を通る上下方向に垂直な面での断面図である。
【００４９】
電池部９は、ファン２４の後方に設けられる。電池部９の左右方向の最大幅は、ケース部１０の左右方向の最大幅以下である。左右方向は、第３軸の方向である。
【００５０】
図１２において、紙面右方向が本体４の右方向である。図１２において、紙面上方向が本体４の前方向である。
【００５１】
楕円柱面Ｅは、上下方向に延びる。楕円柱面Ｅは、前後方向を長軸とする。楕円柱面Ｅは、左右方向を短軸とする。楕円柱面Ｅは、ケース部１０および風路形成部１２の外面に接する。楕円柱面Ｅは、本体４の前面に接する。本体４の全体は、楕円柱面Ｅの内部に納まる。電池部９は、楕円柱面Ｅの内部に設けられる。
【００５２】
続いて、図１３および図１４を用いて、電動送風部７の構成を説明する。
図１３および図１４は、実施の形態１に係る電動送風部の斜視図である。
【００５３】
図１３において、紙面上方向が電動送風部７の前方向である。
【００５４】
電動送風部７は、円筒状の形状である。電動送風部７は、後面に複数のリブ３４を有する。複数のリブ３４の各々は、電池ケース３２の前面に当たって接する。複数のリブ３４の各々は、電動送風部７の後面と電池ケース３２の前面との間に空間を形成する。
【００５５】
図１４において、紙面上方向が電動送風部７の後方向である。図１４において、矢印で示す方向が電動送風部７の上下方向である。図１４において、矢印で示す方向が電動送風部７の左右方向である。
【００５６】
電動送風部７は、第２接続部３５を有する。第２接続部３５は、上端の後方に設けられる。第２接続部３５は、電池部９の第１接続部３３に接続される凹部である。電動送風部７は、第１接続端子３６を有する。第１接続端子３６は、例えば板金により形成される。第１接続端子３６は、モーター２３に電気的に接続される。
【００５７】
続いて、図１５および図１６を用いて、電池部９の構成を説明する。
図１５および図１６は、実施の形態１に係る電池部の斜視図である。
【００５８】
図１５において、矢印で示す方向が電池部９の前後方向である。図１５において、矢印で示す方向が電池部９の上下方向である。
【００５９】
電池ケース３２は、前ケース３７と、後ケース３８と、を有する。前ケース３７は、電池部９の前方の外郭をなす。後ケース３８は、電池部９の後方の外郭をなす。
【００６０】
電池部９は、第２接続端子３９を有する。第２接続端子３９は、第１接続部３３に設けられる。第２接続端子３９は、複数の蓄電池３０に電気的に接続される。第２接続端子３９は、第１接続端子３６に直接接触することによって電気的に接続される。
【００６１】
図１６において、矢印で示す方向が電池部９の前後方向である。図１６において、矢印で示す方向が電池部９の上下方向である。
【００６２】
電池部９は、６本の蓄電池３０を有する。６本の蓄電池３０の各々は、円柱状の形状である。６本の蓄電池３０の各々は、上下方向に延びる。６本の蓄電池３０のうちの３本は、電池部９の上部に設けられる。６本の蓄電池３０のうちの他の３本は、電池部９の下部に設けられる。電池部９の上部に設けられる３本の蓄電池３０は、頂点を後方に向ける三角形状に並べられる。当該３本の蓄電池３０の側面の各々は、互いに対向する。電池部９の下部に設けられる３本の蓄電池３０は、頂点を後方に向ける三角形状に並べられる。当該３本の蓄電池３０の側面の各々は、互いに対向する。電池部９は、ホルダー４０を有する。ホルダー４０は、６本の蓄電池３０を保持する。
【００６３】
保護基板３１は、電池部９の上部に設けられる。保護基板３１は、６本の蓄電池３０の各々の上方に設けられる。保護基板３１は、６本の蓄電池３０の各々に接続される。保護基板３１は、上下方向に垂直な面内に設けられる。保護基板３１は、第１接続部３３に設けられる。
【００６４】
続いて、電気掃除機２の動作を説明する。
【００６５】
制御基板２５は、使用者の操作に基づいて、電動送風部７の気流を発生させる動作を開始させる。電池部９は、複数の蓄電池３０に充電されている電力を保護基板３１の制御のもとで取り出す。保護基板３１は、複数の蓄電池３０の放電を制御することで蓄電池３０を保護する。電池部９は、第２接続端子３９および第１接続端子３６を通じて、モーター２３に電力を供給する。
【００６６】
モーター２３は、供給される電力によって出力軸を回転させる。ファン２４は、モーター２３の出力軸とともに回転する。ファン２４は、気流を発生させる。気流は、被清掃面の上の塵埃とともに集塵部８に流入する。分離部２６は、旋回風路によって気流から旋回流を形成する。塵埃は、遠心力によって分離される。分離された塵埃は、集塵容器２７に捕集される。塵埃が分離された気流は、分離部２６の内筒を上方に向かって通過する。気流は、フィルター部２８を通過する。フィルター部２８は、気流に含まれる微細な塵埃を捕集する。微細な塵埃が分離された気流は、排気口１９から送り出される。
【００６７】
電気掃除機２を使用する掃除が終了した場合に、操作部１７は、電気掃除機２を停止するための使用者の操作を受け付ける。操作部１７は、当該操作を表す信号を電動送風部７に送信する。電動送風部７は、気流を発生させる動作を停止する。使用者は、電気掃除機２を支持装置３に装着する。支持装置３は、外部の電源から供給される電力を、充電端子１６および給電端子３ｆを通じて電気掃除機２に供給する。電池部９は、支持装置３から供給される電力によって、複数の蓄電池３０を保護基板３１の制御の下で充電する。保護基板３１は、複数の蓄電池３０の充電を制御することで蓄電池３０を保護する。
【００６８】
以上に説明したように、実施の形態１に係る電気掃除機２は、電動送風部７と、ケース部１０と、集塵部８と、風路形成部１２と、電池部９と、を備える。電動送風部７は、供給される電力によって気流を発生させる。ケース部１０は、電動送風部７を収納する。集塵部８は、気流によって外部から吸引される塵埃を捕集する。風路形成部１２は、吸引風路２０を有する。吸引風路２０は、上下方向を中心軸として下方から上方に直線状に延びる。風路形成部１２は、気流を吸引風路２０から集塵部８に導く。電池部９は、吸引風路２０の上下方向の上方の延長線上に設けられる。電池部９は、上下方向に垂直な前後方向から電動送風部７に隣接する。電池部９は、蓄電池３０を有する。蓄電池３０は、電動送風部７に電力を供給する。
【００６９】
電池部９と風路形成部１２とは、吸引風路２０の中心軸の方向である上下方向に並ぶ。すなわち、上下方向に垂直な方向において、電池部９と風路形成部１２とは、本体４の同じ方向に張り出す。これにより、上下方向に垂直な方向において、電気掃除機２は、コンパクトになる。電気掃除機２の外観は、損なわれない。電池部９と電動送風部７とは、上下方向に互いに離れない。これにより、上下方向において、電気掃除機２は、コンパクトになる。
【００７０】
電池部９と電動送風部７とは、隣接する。このため、電気掃除機２の重量部が集中する。これにより、電気掃除機２は取り回しやすくなる。
【００７１】
また、電池部９は、上下方向に延びる形状である。このため、上下方向に垂直な方向の電池部９の断面積が小さくなる。これにより、吸引風路２０の中心軸に垂直な方向において、電気掃除機２は、よりコンパクトになる。
【００７２】
また、電池部９の左右方向の最大幅は、ケース部１０の左右方向の最大幅以下である。このため、電池部９は、左右方向に張り出さない。これにより、電気掃除機２は、よりコンパクトになる。
【００７３】
また、電池部９の全体は、第１平面Ｐ１に対してケース部１０の側に設けられる。このため、電池部９は、電気掃除機２の上方に突出しない。これにより、電気掃除機２は、よりコンパクトになる。
【００７４】
また、電池部９の全体は、第２平面Ｐ２に対して風路形成部１２の側に設けられる。このため、電池部９は、電気掃除機２の後方に突出しない。これにより、電気掃除機２は、よりコンパクトになる。
【００７５】
また、電池部９は、楕円柱面Ｅの内部に設けられる。このため、電池部９は、上下方向に垂直な方向において張り出さない。これにより、電気掃除機２は、よりコンパクトになる。
【００７６】
また、電池部９は、保護基板３１を上下方向の端部に有する。保護基板３１は、蓄電池３０の充電および放電を制御する。このため、蓄電池３０を含み上下方向に垂直な面内において、電池部９の断面積を小さくできる。これにより、電気掃除機２は、よりコンパクトになる。
【００７７】
また、電池部９は、第１接続部３３を有する。第１接続部３３は、上端に設けられる。第１接続部３３は、前方に突出する。第１接続部３３は、電動送風部７の第２接続部３５に接続される。保護基板３１は、第１接続部３３に設けられる。このため、蓄電池３０を含み上下方向に垂直な面内における電池部９の断面積より保護基板３１の面積が大きい場合においても、保護基板３１は本体４の外側に張り出さない。これにより、電気掃除機２は、よりコンパクトになる。
【００７８】
また、電動送風部７は、第１接続端子３６を有する。第１接続端子３６は、電動送風部７に供給される電力を受ける。電池部９は、第２接続端子３９を有する。第２接続端子３９は、蓄電池３０に電気的に接続される。第２接続端子３９は、第１接続端子３６に直接接触する。
【００７９】
電池部９と電動送風部７とは、直接に電気的に接続される。このため、電池部９と電動送風部７とを接続するリード線が必要ない。これにより、本体４の内部の電気的な接続の取り回しが簡易になる。したがって、電気掃除機２の製造性が高まる。
【００８０】
また、電気掃除機２は、把持部１３と、操作部１７と、を備える。操作部１７は、把持部１３の下方に設けられる。操作部１７、モーター２３、および電池部９は、前後方向の同一直線上に配置される。使用者は、操作部１７が使用者の前方に位置するように把持部１３を持つ。このとき、使用者の手元の前方に電気掃除機２の重量部が集中する。このため、使用者の手元から遠い場所が軽くなる。これにより、電気掃除機２は取り回しやすくなる。
【符号の説明】
【００８１】
１  掃除機システム、  ２  電気掃除機、  ３  支持装置、  ３ａ  保持体、  ３ｂ  支持体、  ３ｃ  基体、  ３ｄ  本体設置部、  ３ｅ  管保持部、  ３ｆ  給電端子、  ３ｇ  吸引具収納部、  ４  本体、  ５  管体、  ６  吸引具、  ７  電動送風部、  ８  集塵部、  ９  電池部、  １０  ケース部、  １１  電池収納部、  １２  風路形成部、  １３  把持部、  １４  接続管、  １５  ノズル体、  １６  充電端子、  １７  操作部、  １８ａ  第１着脱ボタン、  １８ｂ  第２着脱ボタン、  １９  排気口、  ２０  吸引風路、  ２１  吸込口、  ２２  着脱レバー、  ２３  モーター、  ２４  ファン、  ２５  制御基板、  ２６  分離部、  ２７  集塵容器、  ２８  フィルター部、  ２９  接続風路、  ３０  蓄電池、  ３１  保護基板、  ３２  電池ケース、  ３３  第１接続部、  ３４  リブ、  ３５  第２接続部、  ３６  第１接続端子、  ３７  前ケース、  ３８  後ケース、  ３９  第２接続端子、  ４０  ホルダー
【図１】
2019166124.tif 000003
【図２】
2019166124.tif 000004
【図３】
2019166124.tif 000005
【図４】
2019166124.tif 000006
【図５】
2019166124.tif 000007
【図６】
2019166124.tif 000008
【図７】
2019166124.tif 000009
【図８】
2019166124.tif 000010
【図９】
2019166124.tif 000011
【図１０】
2019166124.tif 000012
【図１１】
2019166124.tif 000013
【図１２】
2019166124.tif 000014
【図１３】
2019166124.tif 000015
【図１４】
2019166124.tif 000016
【図１５】
2019166124.tif 000017
【図１６】
2019166124.tif 000018